(57)【要約】【課題】携帯機器の所有者や該所有者と親密な関係にある人の意思に反してストラップが着脱されるのを防止する。【解決手段】本発明は、携帯機器に連結される連結部２と、連結部２に取り付けられる本体部３とを備えた携帯機器用ストラップ１であって、連結部２は、前記携帯機器側の係止孔に挿通される紐状部４と、紐状部４に閉鎖空間５を形成させるように装着される固定部材６とを備え、固定部材６は、特殊固定手段１４によってのみ紐状部４に着脱可能となっていることを特徴とする。【選択図】図１
2008113709.tif 000002
【特許請求の範囲】
【請求項１】
携帯機器に連結される連結部と、該連結部に取り付けられる本体部とを備えた携帯機器用ストラップであって、
前記連結部は、前記携帯機器側の係止孔に挿通される紐状部と、該紐状部に閉鎖空間を形成させるように装着される固定部材とを備え、該固定部材は、特殊固定手段によってのみ前記紐状部に着脱可能となっていることを特徴とする携帯機器用ストラップ。
【請求項２】
前記固定部材は、お互いに一端を支点に回動可能且つ重合可能な一対の板状部材を備えている請求項１に記載の携帯機器用ストラップ。
【請求項３】
前記紐状部の先端には、ストッパ部が拡径されて形成されており、前記各板状部材の重合面の少なくとも一方の重合面には、前記紐状部が係合可能な溝部が形成されており、該溝部に前記紐状部が係合すると共に前記ストッパ部が前記固定部材の外側面に当接することにより、前記紐状部が前記固定部材に装着される請求項２に記載の携帯機器用ストラップ。
【請求項４】
前記特殊固定手段は、前記各板状部材の重合状態を保持可能なように該各板状部材間に渡設されると共に頭部に異形溝部が形成された締結具と、該締結具の異形溝部に係合可能な異形の治具とを備えている請求項１〜３のいずれか１の請求項に記載の携帯機器用ストラップ。
【請求項５】
前記特殊固定手段は、前記板状部材の重合状態を保持可能なように該各板状部材間に渡設されたダイヤル式錠を備えている請求項１〜３のいずれか１の請求項に記載の携帯機器用ストラップ。
【請求項６】
請求項１〜５のいずれか１の請求項に記載の携帯機器用ストラップを前記本体部が外部から視認可能なように収納する携帯機器用ストラップの収納パッケージであって、
前記特殊固定手段は外部から視認不能なように収納されていることを特徴とする携帯機器用ストラップの収納パッケージ。
【請求項７】
請求項４に記載の携帯機器用ストラップを前記本体部が外部から視認可能なように収納する携帯機器用ストラップの収納パッケージであって、
前記特殊固定手段の異形溝部及び異形の治具は外部から視認不能なように収納されていることを特徴とする携帯機器用ストラップの収納パッケージ。
【発明の詳細な説明】
【技術分野】
【０００１】
本発明は、携帯電話、ＰＤＡ（Personal
Digital Assistants）、カメラ等の携帯機器に装着される携帯機器用ストラップ及び該携帯機器用ストラップの収納パッケージに関する。
【背景技術】
【０００２】
従来、携帯電話等の携帯機器の吊り紐又はアクセサリ用としてストラップが使用されている。
【０００３】
従来のこの種のストラップは、通常、携帯機器に着脱可能となっており、例えば、携帯機器に連結される細紐リング状の連結部と、該連結部に取り付けられる幅広紐状の本体部とを備え、前記連結部を携帯機器側の係止孔に挿通し、連結部のリング内に前記本体部を挿通させることにより、ストラップを携帯機器に取り付けることができるようになっている（例えば、特許文献１又は特許文献２参照）。
【特許文献１】特開平８−１１２１３０号公報
【特許文献２】特開２００６−２０４７２０号公報
【発明の開示】
【発明が解決しようとする課題】
【０００４】
しかしながら、上記した従来の携帯機器用ストラップでは、携帯機器に対して誰でも簡単に着脱作業を行うことができるため、例えば、恋愛関係にある相手が所有する携帯電話に自分に関連した写真や絵等を含むストラップを取り付けてあげたにも拘らず、該ストラップが相手の都合により着脱されたりする等、携帯機器の所有者や該所有者と緊密な関係にある人の意思に反してストラップが着脱されるのを防止することができないといった問題があった。
【０００５】
本発明は、上記した課題を解決すべくなされたものであり、携帯機器の所有者や該所有者と親密な関係にある人の意思に反してストラップが着脱されるのを防止することができる携帯機器用ストラップを提供することを目的とするものである。
【課題を解決するための手段】
【０００６】
上記した目的を達成するため、本発明に係る携帯機器に連結される連結部と、該連結部に取り付けられる本体部とを備えた携帯機器用ストラップであって、前記連結部は、前記携帯機器側の係止孔に挿通される紐状部と、該紐状部に閉鎖空間を形成させるように装着される固定部材とを備え、該固定部材は、特殊固定手段によってのみ前記紐状部に着脱可能となっていることを特徴とする。
【０００７】
そして、前記固定部材は、お互いに一端を支点に回動可能且つ重合可能な一対の板状部材を備えていてもよい。
【０００８】
また、前記紐状部の先端には、ストッパ部が拡径されて形成されており、前記各板状部材の重合面の少なくとも一方の重合面には、前記紐状部が係合可能な溝部が形成されており、該溝部に前記紐状部が係合すると共に前記ストッパ部が前記固定部材の外側面に当接することにより、前記紐状部が前記固定部材に装着されてもよい。
【０００９】
さらに、前記特殊固定手段は、前記各板状部材の重合状態を保持可能なように該各板状部材間に渡設されると共に頭部に異形溝部が形成された締結具と、該締結具の異形溝部に係合可能な異形の治具とを備えていてもよい。
【００１０】
さらにまた、前記特殊固定手段は、前記板状部材の重合状態を保持可能なように該各板状部材間に渡設されたダイヤル式錠を備えていてもよい。
【００１１】
また、本発明は、上記した携帯機器用ストラップを前記本体部が外部から視認可能なように収納する携帯機器用ストラップの収納パッケージであって、前記特殊固定手段は外部から視認不能なように収納されていることを特徴とする。
【００１２】
そして、前記特殊固定手段の異形溝部及び異形の治具は外部から視認不能なように収納されていてもよい。
【発明の効果】
【００１３】
本発明によれば、携帯機器の所有者や該所有者と親密な関係にある人の意思に反してストラップが着脱されるのを防止することができる。
【発明を実施するための最良の形態】
【００１４】
以下、図面を参照しつつ、本発明の実施の形態について説明する。ここで、図１は本発明の実施の形態に係る携帯機器用ストラップを示す平面図、図２は同携帯機器用ストラップの固定部材を示す断面図、図３は本発明の実施の形態に係る携帯機器用ストラップの収納パッケージを示す斜視図である
本実施の形態に係る携帯機器用ストラップ１は、携帯機器に連結される連結部２と、連結部２に取り付けられる本体部３とから構成されており、この本体部３は、例えば、携帯機器の所有者の恋人、親、或いは友人等、該所有者と緊密な関係にある人を特定する写真や絵等を備えていることを想定している。
【００１５】
連結部２は、携帯機器側の係止孔（図示せず）に挿通される紐状部４と、紐状部４に閉鎖空間５を形成させるように装着される固定部材６とから構成されている。
【００１６】
紐状部４は、繊維、金属、或いは塩化ビニル等から成り、一方の端部に本体部３が接続され、他方の端部には小球状のストッパ部７が他の部分より拡径されて形成されている。なお、このストッパ部７が前記携帯機器側の係止孔より小径であることは言う迄もない。
【００１７】
固定部材６は、お互いに一端（図示では右端）を支点に回動可能且つ重合可能な一対の板状部材８ａ，８ｂを備えており、各板状部材８ａ，８ｂの重合面９ａ，９ｂには、紐状部４が係合可能な溝部１０ａ，１０ｂがそれぞれ形成されている。なお、この溝部１０ａ，１０ｂは、各板状部材８ａ，８ｂの重合面９ａ，９ｂのいずれか一方の重合面にのみ形成されていてもよく、或いは、必ずしも形成されていなくてもよい。
【００１８】
一方（図示では上方）の板状部材８ａの略中央部には、丸孔１８が形成されており、この丸孔１８は、重合面９ａ側に位置して内面が螺刻された第１小孔部１１と反重合面側に位置する大孔部１２とにより構成されている。さらに、他方（図示では下方）の板状部材８ｂの、丸孔１８の小孔部１１に対応する位置には、内面が螺刻された第２小孔部１３が形成されている。
【００１９】
また、固定部材６は、特殊固定手段１４によってのみ紐状部４に着脱可能となっており、特殊固定手段１４は、頭部１５に異形溝部１６が形成された螺子又はボルト等の締結具１７と、この締結具１７の異形溝部１６に係合可能な異形の治具（図示せず）とから構成されている。なお、締結具１７の異形溝部１６と異形の治具の形状の種類は、少なくとも複数あるのが好ましく、できる限り多いほうがより好ましい。
【００２０】
このような構成を備えた携帯機器用ストラップ１を携帯機器に装着する場合、先ず、紐状部４を前記携帯機器側の係止孔に挿通した上で、図２に示すように非重合状態の各板状部材８ａ，８ｂの溝部１０ｂに紐状部４を係合させると共にストッパ部７を溝部１０ｂの外側に配置した後、各板状部材８ａ，８ｂをお互いに重合させる。そして、紐状部４の閉鎖空間５側を引いてストッパ部７を固定部材６の外側面１９に当接させた状態で、締結具１７の頭部１５を丸孔１８の大孔部１２に嵌合すると共に前記治具を異形溝部１６に係合して締結具１７を回転させる。そうすると、締結具１７の螺子部１８が第１小孔部１１及び第２小孔部１３に螺合し、各板状部材８ａ，８ｂ間に渡設する。これにより、各板状部材８ａ，８ｂの重合状態は保持され、固定部材６は紐状部４に固定され、携帯機器用ストラップ１は前記携帯機器に装着される。
【００２１】
このように上記した実施の形態に係る携帯機器用ストラップ１によれば、前記異形の治具がなければ、携帯機器用ストラップ１の携帯機器に対する着脱作業を行うことができないため、前記異形の治具を適切に管理することにより、携帯機器の所有者や該所有者と親密な関係にある人の意思に反してストラップが着脱されるのを防止することができる。
【００２２】
また、上記した携帯機器用ストラップ１を販売する場合には、図３に示すように、２個の携帯機器用ストラップ１と１個の前記治具との組み合わせで箱状の収納パッケージ２１に収納するのが好ましい。そして、この収納パッケージ２１において、上面カバー２２を、少なくとも本体部３を外部から視認可能な透明樹脂等の部材で形成する一方、締結具１７を不透明な帯状部材２３により覆うと共に前記治具を不透明な筒状容器２４内に収容し、特殊固定手段１４を外部から視認不能なように収納するのがよい。
【００２３】
これにより、消費者は、実際に購入して収納パッケージ２１を開封するまで、特殊固定手段１４の種類を把握することができない。したがって、例えば、恋愛関係にある相手が所有する携帯機器に浮気防止等の目的のため、自分に関連した写真や絵等を含む携帯機器用ストラップ１を取り付けた後、前記異形の治具を自分で管理していれば、相手が新たに同じ種類の特殊固定手段１４を備えた別の携帯機器用ストラップ１を密かに購入することが難しいため、相手の都合により携帯機器用ストラップ１が着脱されたりする等、携帯機器の所有者と緊密な関係にある人の意思に反してストラップが着脱されるのを防止することができる。
【００２４】
なお、上記した実施の形態において、特殊固定手段１４は締結具１７と異形の治具とを備えているが、これは単なる例示に過ぎず、例えば、図４に示すように、板状部材８ａ，８ｂの重合状態を保持可能なように各板状部材８ａ，８ｂの間に渡設されたダイヤル式錠３１により特殊固定手段を構成してもよい。そして、この場合、携帯機器用ストラップの収納パッケージは、ダイヤル式錠３１を開放するための番号が外部から視認不能なように携帯機器用ストラップ１を収納すればよい。
【図面の簡単な説明】
【００２５】
【図１】本発明の実施の形態に係る携帯機器用ストラップを示す平面図である。
【図２】本発明の実施の形態に係る携帯機器用ストラップの固定部材を示す断面図である。
【図３】本発明の実施の形態に係る携帯機器用ストラップの収納パッケージを示す斜視図である。
【図４】本発明の実施の形態に係る携帯機器用ストラップの別の例を示す平面図である。
【符号の説明】
【００２６】
１          携帯機器用ストラップ
２          連結部
３          本体部
４          紐状部
５          閉鎖空間
６          固定部材
７          ストッパ部
８ａ        一方の板状部材
８ｂ        他方の板状部材
９ａ        一方の重合面
９ｂ        他方の重合面
１０ａ      溝部
１０ｂ      溝部
１４        特殊固定手段
１５        頭部
１６        異形溝部
１７        締結具
１８        丸孔
２１        携帯機器用ストラップの収納パッケージ
【図１】
2008113709.tif 000003
【図２】
2008113709.tif 000004
【図３】
2008113709.tif 000005
【図４】
2008113709.tif 000006